(57)【要約】【課題】  前面から押し込み力を加えるだけで花卉を簡単に交換することができる植栽体を提供する。【解決手段】  花卉３１をほぼ水平に植栽可能な植栽体１Ａであって、植栽される花卉１３の根１３ａの部分の収まる高さ空間を有する枠体１０と、枠体１０の前面を覆い、花卉１３を支持する弾性支持体１１と、を備え、弾性支持体１１には、前面からの押し込み力により開口されて空間１０ｃに通じるとともに、押し込み力の解除により閉口する切込口１１ａが形成され、切込口１１ａが花卉１３を把持する構成としてある。【選択図】      図５
2012183036.tif 000002
【特許請求の範囲】
【請求項１】
花卉をほぼ水平に植栽可能な植栽体であって、
植栽される花卉の根の部分の収まる高さ空間を有する所定の枠体と、
前記枠体の前面を覆う弾性支持体と、を備え、
前記弾性支持体には、前面からの押し込み力により開口されて前記空間に通じるとともに、押し込み力の解除により閉口する切込口が形成され、
前記切込口によって前記花卉を把持することを特徴とする植栽体。
【請求項２】
花卉の根の部分を覆う袋体を備え、
前記袋体を、ポリ−γ−グルタミン酸架橋体からなる生分解性吸水性樹脂で形成した請求項１記載の植栽体。
【請求項３】
前記枠体内に設けられ、前記空間を確保しながら前記弾性支持体の裏面側を支持する構造体を備える請求項１又は２記載の植栽体。
【請求項４】
前記弾性支持体の前面側に漆喰を塗布した請求項１〜３のいずれか一項に記載の植栽体。
【請求項５】
前記枠体内に、底面を形成するとともに所定の防水手段を設けた請求項１〜４のいずれか一項に記載の植栽体。
【請求項６】
複数の前記枠体を連結して自立可能に形成した請求項１〜５のいずれか一項に記載の植栽体。
【請求項７】
前記切込口を、複数形成するとともに、植栽された複数の花卉により所定の絵柄を表すように配置した請求項１〜６のいずれか一項に記載の植栽体。
【発明の詳細な説明】
【技術分野】
【０００１】
本発明は、花卉をほぼ水平に植栽できるようにした植栽体に関し、特に、花卉を挿抜可能に植栽する植栽体に関する。
【背景技術】
【０００２】
近年、緑化ブームや温暖化対策として、屋上緑化や壁面緑化などの植栽場所を問わず、緑化を施工する形態が多く見受けられ、このような緑化形態において、植栽場所に適用した植栽体、植栽容器が求められている。
例えば、特許文献１では、培土を収納可能に形成するとともに、花卉を支持する育苗ポットの挿抜可能な挿入部が設けられた植栽容器が提案され、フェンス等の壁に取り付けることで壁面の緑化を図ることができるようになっている。
また、特許文献２では、２枚のパネル板の間に保水材を設けるとともに、花卉の根を挿入して保水材とパネル内側との間に挟み込む挿入口を形成した緑化装置が提案され、壁面等の緑化を図ることができるようになっている。
【先行技術文献】
【特許文献】
【０００３】
【特許文献１】特開２００５−２７６１１号公報
【特許文献２】登録実用新案第３１６１１７８号公報
【発明の概要】
【発明が解決しようとする課題】
【０００４】
ところで、近年、オフィス、病院などにおいて観賞用の花卉を定期的に交換・設置する交換サービスが普及している。
このような交換サービスで扱う花卉は主に鉢を植栽容器とする植物であり、サービス業者は、例えば、週単位や月単位で、設置されている鉢を新たな花卉が植栽された鉢に交換する。
このような花卉は比較的丈の高い植物であるため、その分、鉢も大きくなり搬送には多大な労力を費やさなければならなかった。
このようなことから、鉢ごと交換するのではなく、花卉だけを簡易に交換する方法が望まれていた。
【０００５】
上記のサービスを特許文献１又は２記載の壁掛けタイプの植栽容器を用いて行なうことも考えられる。
しかしながら、特許文献１又は２記載の植栽容器は、潅水を前提に構成されていることから、給水のための開口や給水菅や設けなければならず、容器が複雑な構造となっていた。
また、花卉だけを簡単に交換できるような構造となっていないため、特許文献１に記載の植栽容器では培土と絡みあった根を取り外すことが困難であるとともに、特許文献２に記載の植栽容器では保水材とパネルの間に侵入した根を抜き取る際に根を傷めるおそれがあった。
また、潅水の頻度をなるべく少なくすることができる植栽体も望まれていた。
【０００６】
本発明は、このような植栽体が有する問題を解決するために提案されたもので、保水性を高めて潅水の頻度を少なくできるとともに、花卉のみを簡単に交換できるようにした植栽体の提供を目的とする。
【課題を解決するための手段】
【０００７】
上記目的を達成するため、本発明の植栽体は、花卉をほぼ水平に植栽可能な植栽体であって、植栽される花卉の根の部分の収まる高さ空間を有する所定の枠体と、前記枠体の前面を覆い、花卉を支持する弾性支持体とを備え、前記弾性支持体には、前面からの押し込み力により開口されて前記空間に通じるとともに、押し込み力の解除により閉口する切込口が形成され、前記切込口が花卉を把持する構成としてあり、前記花卉は根の部分を覆う袋体を、ポリ−γ−グルタミン酸架橋体からなる生分解性吸水性樹脂で形成してある。
【発明の効果】
【０００８】
本発明の植栽体によれば、前面から押し込み力を加えるだけで切込口が開口するので、花卉を簡単に交換することができる。また、押し込み力を解除すれば切込口により花卉が把持されるので、花卉をしっかりと固定することができる。
【図面の簡単な説明】
【０００９】
【図１】本発明の第一実施形態に係る植栽体を示す分解斜視図である。
【図２】本発明の第一実施形態に係る植栽体の要部を示す断面図である。
【図３】本発明の第一実施形態に係る植栽体に花卉を植栽した外観を示す斜視図である。
【図４】本発明の第一実施形態に係る切込口の異なる形態を示す図で、（ａ）は、十字に切り込んで形成した切込口を示し、（ｂ）は、三方向に切り込んで形成した切込口を示し、（ｃ）は、逆Ｔ字状に切り込んで形成した切込口を示し、（ｄ）は、十字の端部を渦状に切り込んで形成した切込口を示す図である。
【図５】本発明の第一実施形態に係る植栽体を壁面に取付けた状態を示す断面図である。
【図６】本発明の第二実施形態に係る植栽体を壁面に取付けた状態を示す断面図である。
【図７】本発明の第三実施形態に係る植栽体を示す外観斜視図である。
【発明を実施するための形態】
【００１０】
本発明に係る植栽体は、花卉１３をほぼ水平に植栽可能な植栽体１（１Ａ，１Ｂ，１Ｃ）であって、植栽される花卉１３の根１３ａの部分の収まる高さ空間１１ｃを有する所定の枠体１０と、枠体１０の前面を覆い、花卉１３を支持する弾性支持体１１とを備え、弾性支持体１１には、前面からの押し込み力により開口されて空間１０ｃに通じるとともに、押し込み力の解除により閉口する切込口１１ａが形成され、切込口１１ａが花卉１３を把持するように構成されている。
以下、本発明に係る植栽体１の好ましい実施形態について、図面を参照して説明する。
【００１１】
［第一実施形態］
本実施形態の植栽体１Ａは、図１〜図５の各図に示すように、四方を矩形状（例えば、１８００ｍｍ×９００ｍｍ×１００ｍｍ）に囲む枠体１０と、枠体１０の前面側を覆う弾性支持体１１とを備えている。
枠体１０は、その枠内に植栽される花卉１３の根１３ａの部分の収まる高さ空間１０ｃ（約１００ｍｍ）を確保するように形成されるとともに、その下部には底面１０ｂが形成されている。
【００１２】
仕切板１０ａは、本発明に係る構造体の一例であり、枠体１０内を格子状に区画するとともに、高さ空間１０ｃを確保しながら弾性支持体１１を裏面側から支持する。
また、仕切板１０ａと底面１０ｂとで区画される空間１０ｃごとに、所定の防水シート１０ｄと一又は二以上の切込口１１ａが設けられ、各空間１０ｃが独立した植栽容器として機能するようになっている。
なお、各空間１０ｃは、必ずしも独立した形態とする必要はなく、仕切板１０ａに開口部を形成して枠体１０内部が連通するようにしてもよい。このようにすると、各空間１０ｃの通気性がよくなる。
【００１３】
各空間１０ｃに植栽される本実施形態に係る花卉１３は、例えば、室内観賞用の観葉植物であり、根１３ａの部分が袋体１２で被覆された状態で、弾性支持体１１に支持されて植栽される。
【００１４】
枠体１０と仕切板１０ａと底面１０ｂとは、それぞれ木材で形成され、例えば、植栽体１Ａを垂直な壁面５０に取り付けるときには、底面１０ｂに取り付け用ネジを貫通させて、又は、所定の吊下げ具を介して壁面５０に取り付けられる。
防水シート１０ｅは、不透水性樹脂材（例えば、塩化ビニル、エポキシ樹脂など）を、仕切板１０ａと底面１０ｂにコーティングしたもので形成されている。
【００１５】
弾性支持体１１は、純植物性天然繊維（ヤシ繊維）や化学合成繊維をニードルパンチ製法によりシート状に加工したもので、外力を加えると曲折するものの外力を解除すると元の形状に復元する弾性特性を有し、透水性・通気性・耐光性・耐腐食性に優れた、いわゆる吸出し防止材（フェルト材）で形成され、仕切板１０ａ上面に固着（例えば、接着）されて支持される。
このような透水性・通気性を有する弾性支持体１１により枠体１０を覆うことで、弾性支持体１１を介して空間１０ｃに十分な空気が送り込まれるため、根腐れ等を防止でき、植物の良好な育成環境を保つことができるようになっている。
【００１６】
また、この弾性支持体１１には、硝石灰と、貝類の殻（例えば、帆立、牡蠣など）の粉末と、布海苔やツノマタ（角叉）などの膠着材とを水で混練した、いわゆる漆喰１１ｂが切込口１１ａの周辺を除いて塗布されている。
このように漆喰１１ｂを塗布することで、植栽体１Ａの前面側の美観を向上させ、内装品としての高級感を醸出させるだけでなく、漆喰１１ｂの有する湿度調整・消臭、防カビ機能を発揮することで、室内環境を良好な雰囲気に保つことができる。
【００１７】
さらに、弾性支持体１１には、空間１０ｃごとに一又は二以上の切込口１１ａが形成されている。
切込口１１ａは、所定の切断工具（例えば、カッター）で切断したもので、外力を加えない限り閉口され、切込口１１ａに手などを押し込むことで開口する。
すなわち、切込口１１ａは、根１３ａの部分を被覆した袋体１２の口部を手で持って、袋体１２を切込口１１ａに押し込むことで、押し込み力により開口されて空間１０ｃに通じるとともに、手を引き抜いて押し込み力を解除することにより閉口する。
その結果、図２及び図５に示すように、切込口１１ａが花卉の根元の部分を把持し、花卉１３が弾性支持体１１に支持されるようになっている。
【００１８】
また、切込口１１ａは、図４に示すように、複数の異なる切り込み態様で形成することができる。図４（ａ）は十字に切り込んで形成した切込口１１ａ、図４（ｂ）は三方向に切り込んで形成した切込口１１ａ、図４（ｃ）は逆Ｔ字状に切り込んで形成した切込口１１ａ、図４（ｄ）は十字の端部を渦状に切り込んで形成した切込口１１ａの例を示す。
これらの切込口１１ａの切り込み態様は、植栽される花卉１３の葉や茎の強度に応じて選択可能である。具体的には、切込口１１ａの切り込み数が少ないほど、支持（把持）力は高くなり、切込口１１ａの切り込み数が多いほど、弾性支持体１１の復元力が緩和され支持（把持）力が低くなる。
【００１９】
これにより、例えば、葉や茎が太く曲げ外力に対して耐力を有する花卉では、その分背丈も高く、十分な支持力で把持する必要があることから、切込口１１ａの切り込み数の少ない切込口１１ａを採用し、曲げ外力に対して葉や茎が簡単に折れてしまうような花卉では、切込口１１ａの切り込み数の多い切込口１１ａを採用することで、植栽される花卉１３の葉や茎の強度に応じた最適な支持力で把持することができる。
また、切込口１１ａの中央に小孔（例えば、φ１０ｍｍ）を形成し、支持（把持）力を緩和させることもできる。この小孔の径を変えることによっても把持力を調整することができる。
【００２０】
また、図４（ｃ）のように、切込口１１ａを水平方向と垂直方向に切り込んだ逆Ｔ字状に形成することで、例えば、図３、図５に示すように、花卉１３を上方に傾けて植栽するときには、横方向の切り込みが花卉１３の下方への倒れ込みを抑制するとともに、縦方向の切り込みが左右から花卉１３を保持することで、効果的に花卉１３を上方に向けて支持することができる。つまり、傾けたい方向に切り込みを形成するとともに、これと垂直方向の切り込みを形成することで、所望する方向に傾けながら倒れ込みを効果的に防止することができる。
また、切り込み数を多くすることで、花卉１３の葉や茎を挟み込む数が増えるので、花卉１３を広範囲に広げて植栽することができる。
【００２１】
また、図４（ａ）と図４（ｄ）では、切り込み数は同じであるものの、押し込み力を加えたときに切込口１１ａの開口面積が変化するようになっている。
具体的には、図４（ｄ）に示す切込口１１ａは十字の端部をさらに異なる方向に渦状に切り込んであるので、図４（ａ）と比べると大きな開口面積を確保することができる。つまり、図４（ｄ）に示す切込口１１ａは根の部分１３ａの大きな花卉１３の挿抜に適している。
【００２２】
花卉１３の根１３ａを被覆する袋体１２は、ポリ−γ−グルタミン酸架橋体からなる生分解性吸水性樹で形成されている。
袋体１２は、ポリ−γ−グルタミン酸をその濃度が所定の重量になるように水等の溶媒に溶解し、次いでこの溶液に放射線を照射したのち、生成した架橋体を分離生成等することにより得たものである。ポリ−γ−グルタミン酸については、特に制限はなく、種々の製造方法によるもの、例えば、微生物、例えば枯草菌による培養法、遺伝子組換微生物による培養法、納豆菌より調整する方法、または化学合成法等が様々なものを用いることができる。
【００２３】
このようなポリ−γ−グルタミン酸架橋体からなる生分解性吸水性樹脂は、ゲル化率が高く、優れた吸水性能を有することから、花卉１３の根１３ａを被覆した状態の袋体１２を、そのまま水に浸漬させた後、切込口１１ａに挿入することで、数日（例えば、一週間）に亘って保水することができ、日々行なう潅水の省力化が図られる。
また、袋体１２は、架橋構造と生分解性を有することから、根１３ａが袋体１２を突き破って伸長することが可能であるため、根の伸長する範囲が制限される通常の容器と比べ、根巻きが防止されて花卉１３の育成を促進することができる。
【００２４】
以上のように構成された植栽体１Ａの使用方法について、図５を用いて説明する。
図５は、底面１０ｂが壁面５０に対向配置されるように、壁面５０に取り付けられた植栽体１Ａの断面図である。
まず、袋体１２の開口部から袋体１２に花卉の根１３ａを差し込み、袋体１２の開口部を閉じて花卉１３の根１３ａを袋体１２で被覆する。つぎに、花卉１３の根１３ａ被覆した状態の袋体１２を水に浸漬させた後、切込口１１ａに押し込む。そして、この押し込み力により開口した切込口１１ａを介して袋体１２を空間１０ｃに挿入する。その後、手を引き抜いて押し込み力を解除すると切込口１１ａが閉口するため、花卉１３の根元が切込口１１ａにより把持されることになる。
【００２５】
このように植栽された状態において、袋体１２は十分に吸水していることから、その重さにより、切込口１１ａにより把持された花卉１３の根元に負荷が加わることがあるが、仕切板１０ａにより袋体１２を支持することができるので、花卉１３に負荷が加わらないようになっている。
【００２６】
また、植栽された花卉１３への潅水は、例えば、図示しない給水器のノズル１４を切込口１１ａに位置する袋体１２に挿し込んで行なう。これにより、袋体１２を取出さずに根１３ａに直接に給水することができる。
このような方法で花卉１３に潅水する場合でも、袋体１２の吸水性が高いので、日々給水する必要はなく適度な頻度（例えば、一週間ごと）で給水すれば足りる。
さらに、花卉１３を脱抜するときには、前面から手を挿入してこの押し込み力により切込口１１ａを開口させるとともに、袋体１２を持ったまま手を引き抜くことで、花卉１３を植栽体１Ａから容易に取出すことができる。
【００２７】
このように、本実施形態の植栽体１Ａは、花卉１３の挿抜が容易にできるとともに、給水が容易にできるので、花卉１３の活け替え（交換）や潅水の省力化が図られる。
また、弾性支持体１１が吸出し防止材（フェルト材）で形成されていることから、花卉１３の挿抜に際して、花卉１３の根１３ａを傷めることがないうえ、さらに、根１３ａは袋体１２で被覆されていることから、脱抜に際する根１３ａの損傷を確実に防止することができる。
【００２８】
［第二実施形態］
つぎに、本発明の第二実施形態に係る植栽体１Ｂについて説明する。
本実施形態の植栽体１Ｂは、構造体がウェーブ状の凹凸を形成する網状体１０ａからなること、漆喰１１ａが設けられていないことが第一実施形態と異なるものの、弾性支持体１１の構成及び袋体１２の構成は第一実施形態と同様である。
すなわち、本実施形態の植栽体１Ｂは、第一実施形態の植栽体１Ａと同様、花卉１３の挿抜が容易にできるとともに、給水が容易にできるので、花卉１３の活け替え（交換）や潅水の省力化が図られるという作用効果を発揮する。また、構造体を、例えば、市販されているステンレス製の網状体１０ａで構成することで、第一実施形態の仕切板１０ａと比べて比較的簡易な構造とできることから、第一実施形態より面積の広い弾性支持体１１を裏面側から支持することができ、植栽面積の大きな植栽体に適用可能に構成されている。
【００２９】
具体的には、本実施形態の植栽体１Ｂは、図６に示すように、矩形状の枠体１０と、大きさのみ第一実施形態と異なる弾性支持体１１と、弾性支持体１１を裏面側から支持しつつ、弾性支持体１１と底面１０ｂとの間に植栽される花卉１３の根１３ａの部分の収まる高さ空間１１ｃを確保する網状体１０ａとを備えている。
網状体１０ａは、ウェーブ状の凹凸（高低差約８０ｍｍ）を形成するステンレス網材からなり、所定の鋲ら類で底面１０ｂに固定されている。
弾性支持体１１は、枠体１０の周縁に形成された断部１０ｅに固定（例えば、接着）されたり、裏面側から貫通する底面１０ｂに複数突設された図示しないボルトに前面側からナットで螺着され、その裏面側が網状体１０ａに当接するようにして枠体１０の前面側を覆っている。
【００３０】
このように構造体をウェーブ状の凹凸を形成する網状体１０ａとすることにより、弾性支持体１１と底面１０ｂとの間に、植栽される花卉１３の根１３ａの部分の収まる高さ空間１１ｃを、第一実施形態のように仕切板１０ａを立設する場合と比べて簡易にしかも広範囲に確保することができるので、植栽面積の大きな植栽体に適している。
【００３１】
［第三実施形態］
つぎに、本発明の第三実施形態に係る植栽体１Ｃについて説明する。
本実施形態の植栽体１Ｃは、第一実施形態の変形例であり、複数の枠体１０を連結し自立可能に形成した点が第一実施形態と異なるものの、弾性支持体１１の構成及び袋体１２の構成は第一実施形態あるいは第二実施形態と同様である。
すなわち、本実施形態の植栽体１Ｃは、花卉１３の挿抜が容易にできるとともに、給水が容易にできるので、花卉１３の活け替え（交換）や潅水の省力化が図られるという、第一実施形態あるいは第二実施形態の植栽体１Ａと同様な作用効果を発揮するものの、図７に示すように、二つの枠体１０を所定のヒンジを介して連結し、縦看板のように相互に支持し合うことで自立可能に形成してある。
これにより、例えば、店舗等の店先に設置することで、美観を向上させ、集客力を高めることができる。
【００３２】
以上、本発明の植栽体の好ましい実施形態について説明したが、本発明に係る植栽体は上述した実施形態にのみ限定されるものではなく、本発明の範囲で種々の変更実施が可能であることはいうまでもない。
【００３３】
例えば、第一各実施形態に係る植栽体１Ａの枠体１０、仕切板１０ａ、底面１０ｂを木材で形成したが、防水性を備える合成樹脂（例えば、ＡＢＳなど）で一体的に成形することもでき、この場合は防水シート１０ｅを不要とすることもできる。
また、第三実施形態に係る植栽体１Ｃを第一各実施形態に係る植栽体１Ａを連結して構成したが、第二実施形態に係る植栽体１Ｂを連結して構成することもできる。
また、第一実施形態に係る植栽体１Ａの弾性支持体１１において漆喰１１ｂを塗布しない構成とし、第二実施形態に係る植栽体１Ｂの弾性支持体１１において漆喰１１ｂを塗布する構成とすることもできる。
【００３４】
また、各実施形態に係る植栽体１において、以下に示すように、切込口１１ａを複数形成するとともに、植栽された複数の花卉１３により所定の絵柄を表すように配置することもできる。
例えば、切込口１１ａを、所定の図形、記号、文字などの絵柄に沿って配置することで、植栽された複数の花卉１３でその図形、記号、文字などの絵柄を表現することができる。
また、建物、風景、人物などの輪郭に沿って切込口１１ａを配置することで、植栽された複数の花卉１３で絵画を表現することもできる。
【産業上の利用可能性】
【００３５】
本発明は、花卉をほぼ水平に植栽可能な植栽体に広く利用することができる。
【符号の説明】
【００３６】
１  （１Ａ，１Ｂ，１Ｃ）植栽体
１０  枠体
１０ａ  仕切板，網状体（構造体）
１０ｂ  底面
１０ｃ  空間
１０ｄ  防水シート
１１  弾性支持体
１１ａ  切込口
１１ｂ  漆喰
１２  袋体（生分解性吸水性樹脂）
１３  花卉
１３ａ  根
【図１】
2012183036.tif 000003
【図２】
2012183036.tif 000004
【図３】
2012183036.tif 000005
【図４】
2012183036.tif 000006
【図５】
2012183036.tif 000007
【図６】
2012183036.tif 000008
【図７】
2012183036.tif 000009